(57)【特許請求の範囲】
【請求項１】
面板部の裏面側に一方向にわたって３列以上の桁半部を並設して構成した２個の合成樹脂製のパレット半体を桁半部の端面同士を溶着して形成した二方差し用のパレットであって、桁半部を溶着して形成された桁部と桁部との間がフォーク挿入部となり、面板部のフォーク挿入部に対応する部位の大部分を非べた面部としてこの非べた面部を面板部の板厚よりも上下巾が長いメッシュ状のリブ群により形成し、面板部のフォーク挿入部に対応する部位の一部をフォーク挿入部の長手方向と直交するべた面部とし、べた面部を構成する面板部の裏面部にフォーク挿入部の長手方向と直交する補強リブを突設すると共にフォーク挿入部の長手方向と平行な方向に第２補強リブを突設し、リブ群のべた面部に近い側をリブの密度を高くして成ることを特徴とするパレット。
【請求項２】
べた面部の端部に水抜き孔を形成し、べた面部の裏面に水抜き孔側に向けて肉厚が薄くなるように傾斜した傾斜面を形成して成ることを特徴とする請求項１記載のパレット。
【発明の詳細な説明】
【０００１】
【発明の属する技術分野】
本発明は、合成樹脂製の二方差し用のパレットに関するものである。
【０００２】
【従来の技術】
従来から、二方差し用の合成樹脂製のパレットが知られている。この二方差し用の合成樹脂製のパレットは、面板部の裏面側に一方向にわたって３列以上の桁半部を並設して構成した２個の合成樹脂製のパレット半体を桁半部の端面同士を溶着して形成してあった。そして、桁半部を溶着して形成された桁部と桁部との間がフォーク挿入部となり、面板部のフォーク挿入部に対応する部位の全部を面板部の板厚よりも上下巾が長いメッシュ状のリブ群により構成してあって、フォーク挿入部の強度を確保していた。
【０００３】
一方、自動倉庫用の二方差し用のパレットとして現在木製のパレットが使用されている。自動倉庫用の二方差し用の木製のパレットは複数の並設した桁の上面と下面とに桁と直交するように複数の板材を一定の隙間を介して固着したもので、板材としては一般的に１００〜１２０ｍｍ程度の巾のものが使用されている。そして、自動倉庫用のパレットとして用いた場合、搬送ラインの入口と出口とでフォーク挿入部にフォークが挿入できるような状態で搬送するには二方差し用のパレットのフォーク挿入部の長手方向が搬送ラインと平行となるような姿勢で搬送する必要がある。しかして、従来にあっては、木製の二方差し用のパレットにおいては搬送方向（フォーク挿入部の長手方向）と直交する方向に板材が設けてあるので、パレサイダー（パレット供給器）に設けたセンサにより搬送方向（フォーク挿入部の長手方向）と直交する方向に板材を検出し、パレットの通過の有無を検知するようになっている。
【０００４】
ところで、上記のような二方差し用の合成樹脂製のパレットを自動倉庫用のパレットとして用いた場合、前述のように搬送ラインの入口と出口とでフォーク挿入部にフォークが挿入できるような状態で搬送するには二方差し用のパレットのフォーク挿入部の長手方向が搬送ラインと平行となるような姿勢で搬送する必要があるが、従来の合成樹脂製の二方差し用のパレットにあっては、面板部のフォーク挿入部に対応する部位の全部がメッシュ状のリブ群により構成してあるため、パレサイダー（パレット供給器）のセンサでパレットを検出する際、メッシュ状のリブ群はセンサーにより正確に認識できないという問題があり、上記合成樹脂製のパレットを自動倉庫用のパレットとして使用するには問題があった。
【０００５】
【発明が解決しようとする課題】
本発明は上記の点に鑑みてなされたものであり、合成樹脂製の二方差し用のパレットを搬送ラインで搬送する際にパレットをセンサで検出できるようにしたにもかかわらずセンサで検出する部分の強度の低下がなく、しかもセンサで検出する部分であるべた面部の洗浄における水抜きが容易に行えるパレットを提供することを課題とするものである。
【０００６】
【課題を解決するための手段】
上記課題を解決するために本発明に係るパレットは、面板部１の裏面側に一方向にわたって３列以上の桁半部２を並設して構成した２個の合成樹脂製のパレット半体３を桁半部２の端面同士を溶着して形成した二方差し用のパレット４であって、桁半部２を溶着して形成された桁部６と桁部６との間がフォーク挿入部７となり、面板部１のフォーク挿入部７に対応する部位の大部分を非べた面部８としてこの非べた面部８を面板部１の板厚よりも上下巾が長いメッシュ状のリブ群９により形成し、面板部１のフォーク挿入部７に対応する部位の一部をフォーク挿入部７の長手方向と直交するべた面部１０とし、べた面部１０を構成する面板部１の裏面部にフォーク挿入部７の長手方向と直交する補強リブ１１を突設すると共にフォーク挿入部７の長手方向と平行な方向に第２補強リブ１２を突設し、リブ群９のべた面部１０に近い側をリブの密度を高くして成ることを特徴とするものである。このような構成とすることで、合成樹脂製の二方差し用のパレット４をコンベア等の搬送ラインで搬送する際、面板部１のフォーク挿入部７に対応する部位の一部に形成されたフォーク挿入部７の長手方向と直交するべた面部１０をセンサにより検知してパレット４を認識できるものであり、また、このように、合成樹脂製の二方差し用のパレット４をセンサにより検知できるように面板部１のフォーク挿入部７に対応する部位の一部にフォーク挿入部７の長手方向と直交するべた面部１０を形成したにもかかわらず、べた面部１０を構成する面板部１の下面部にフォーク挿入部７の長手方向と直交する補強リブ１１を突設すると共にフォーク挿入部７の長手方向と平行な方向に第２補強リブ１２を突設することで、補強リブ１１及び第２補強リブ１２によりべた面部１０部分の補強をするとともに、リブ群９のべた面部１０に近い側をリブの密度を高くしてあることで、よりいっそうべた面部１０側の補強ができることになる。
【０００７】
また、べた面部１０の端部に水抜き孔１３を形成し、べた面部１０の裏面に水抜き孔１３側に向けて肉厚が薄くなるように傾斜した傾斜面１４を形成することが好ましい。このような構成とすることで、パレット４を水洗いした際に、べた面部１０の裏面側の水は傾斜面１４を伝って水抜き孔１３に流れて外部に排水されることとなって、内部に水が滞留することがないものである。
【０００８】
【発明の実施の形態】
以下、本発明を添付図面に示す実施形態に基づいて説明する。
【０００９】
図１に示すようにパレット４は合成樹脂製であって、２個の合成樹脂製のパレット半体３を溶着して形成してあり、このパレット４は前方又は後方からのみフォークを挿入できる二方差し用のパレットとなっている。すなわち、合成樹脂製のパレット半体３は、面板部１の裏面側に一方向にわたって３列以上の桁半部２を並設して構成してあり、２個の合成樹脂製のパレット半体３を桁半部２の端面同士を溶着してパレット４が形成してあり、桁半部２を溶着して形成された桁部６と桁部６との間がフォーク挿入部７となっており、フォーク挿入部７は前後方向にのみ開口し、前方又は後方からのみフォークを挿入できるようになっているものである。
【００１０】
各合成樹脂製のパレット半体３は面板部１のフォーク挿入部７に対応する部位の大部分が非べた面部８となっている。この非べた面部８は縦のリブ９ａと横のリブ９ｂよりなるメッシュ状のリブ群９により形成してあり、リブ群９を構成する縦横のリブ９は面板部１の板厚よりも上下巾が長いものであり、該リブ群９の上端が面板部１の上面と面一となっている。また、面板部１のフォーク挿入部７に対応する部位の一部がフォーク挿入部７の長手方向と直交するべた面部１０となっており、このべた面部１０は面板部１の一部を構成してある。べた面部１０を構成する面板部１の裏面部にフォーク挿入部７の長手方向と直交する補強リブ１１が形成してあり、また、フォーク挿入部７の長手方向と平行な方向に上記補強リブ１１と交差して第２補強リブ１２を突設してある。第２補強リブ１２としては非べた面部８の縦のリブ９ａと連続する第２主補強リブ１２ａと、第２主補強リブ１２ａ間においてべた面部１０の裏面に設けられた第２副補強リブ１２ｂとで構成してある。
【００１１】
また、べた面部１０の非べた面部８側の端部において第２主補強リブ１２ａ間に水抜き孔１３が形成してあり、べた面部１０の裏面は水抜き孔１３側に向けてべた面部１０の肉厚が薄くなるように傾斜した傾斜面１４となっている。また、第２副補強リブ１２ｂは補強リブ１１との連設部分から水抜き孔１３側に向けて下り傾斜した三角形状をしたリブとなっており、三角形状をした第２副補強リブ１２ｂの先端は水抜き孔１３の手前まで至り、その先端はべた面部１０と同じ高さとなっている。
【００１２】
面板部１のフォーク挿入部７に対応する部位の一部を構成するフォーク挿入部７の長手方向と直交するべた面部１０の巾は従来の木製のパレットの板材と同じ程度の巾としてある（例えば１０ｍｍとしてある）。これは後述のように本発明の二方差し用のパレット４を搬送ラインにフォーク挿入部７の長手方向が搬送ラインの搬送方向と同じとなるようにして搬送する際に、従来の木製のパレットにおける板材と同様にべた面部１０をセンサで検出できるようにするためである。
【００１３】
更に、非べた面部８を構成するリブ群９はべた面部１０に近い側をリブの密度を高くしてある。
【００１４】
上記の構成の合成樹脂製の二方差し用のパレット４は、例えば自動倉庫用のパレットとして用いられるものである。この場合、搬送ラインの入口と出口とでフォーク挿入部７にフォークが挿入できるような状態で搬送するため二方差し用のパレット４のフォーク挿入部７の長手方向が搬送ラインと平行となるような姿勢で搬送するものであり、この際、パレサイダー（パレット供給器）のセンサでパレット面板部１を検出する場合、センサが搬送されるパレット４が横方向にずれて搬送されると面板部１の桁部６の上面に対応する部位に対応したり、面板部１のフォーク挿入部７の上面に対応する部位に対応したりして検出するものである。そして、センサが面板部１の桁部６の上面に対応する部位に対応した場合にはこの部分はほぼ全面がべた面となっているのでセンサにより検出して確実にパレット４を認識できるものである。また、センサが面板部１のフォーク挿入部７の上面に対応する部位に対応した場合には面板部１のフォーク挿入部７に対応する部位の一部を構成するフォーク挿入部７の長手方向と直交するべた面部１０としてあることで、センサによりべた面部１０を検出して確実にパレット４を認識できるものである。
【００１５】
センサとしては搬送ラインの上下方向の一方に発信器、他方に受信器を設けてパレット４の通過の有無を検出するもの、あるいは搬送ラインの上方に発信器と受信器とを設け、パレット４からの反射を受信器で受信してパレット４を検知するもの等が使用できるものである。
【００１６】
ところで、上記のように、合成樹脂製の二方差し用のパレット４をセンサにより検知できるように面板部１のフォーク挿入部７に対応する部位の一部にべた面部１０を設けたにもかかわらず、前述のようにべた面部１０を構成する面板部１の下面部にフォーク挿入部７の長手方向と直交する補強リブ１１を突設すると共にフォーク挿入部７の長手方向と平行な方向に第２補強リブ１２を突設することで、補強リブ１１及び第２補強リブ１２によりべた面部１０部分の補強をすることができるものであり、しかも、リブ群９のべた面部１０に近い側をリブの密度を高くしてあることで、よりいっそうべた面部１０側の補強ができるものである。
【００１７】
なお、本発明の合成樹脂製の二方差し用のパレット４は自動倉庫用以外の他の使用にもできるものである。
【００１８】
また、パレット４を洗浄した場合、べた面部１０の裏面側の端部に水抜き孔１３が設けてあるので、パレット４の上下両面のいずれを上としても下の面板部１のべた面部１０の裏面の水が水抜き孔１３から外部に排出されるものであり、しかも、この場合、べた面部１０の裏面に水抜き孔１３側に向けて肉厚が薄くなるように傾斜した傾斜面１４を形成してあるので、べた面部１０の裏面側の水は傾斜面１４を伝って水抜き孔１３にスムーズに流れて外部に排水されることとなって、内部に水が滞留することがなく、洗浄性が良くなるものである。
【００１９】
【発明の効果】
上記のように本発明の請求項１記載の発明にあっては、二方差し用のパレットにおいて、桁半部を溶着して形成された桁部と桁部との間がフォーク挿入部となり、面板部のフォーク挿入部に対応する部位の大部分を非べた面部としてこの非べた面部を面板部の板厚よりも上下巾が長いメッシュ状のリブ群により形成し、面板部のフォーク挿入部に対応する部位の一部をフォーク挿入部の長手方向と直交するべた面部としてあるので、合成樹脂製の二方差し用のパレットをコンベア等の搬送ラインで搬送する際、面板部のフォーク挿入部に対応する部位の一部に形成されたフォーク挿入部の長手方向と直交するべた面部をセンサにより検知してパレットを認識できるものであり、また、このように、合成樹脂製の二方差し用のパレットをセンサにより検知できるように面板部のフォーク挿入部に対応する部位の一部に形成されたフォーク挿入部の長手方向と直交するべた面部としたにもかかわらず、べた面部を構成する面板部の下面部にフォーク挿入部の長手方向と直交する補強リブを突設すると共にフォーク挿入部の長手方向と平行な方向に第２補強リブを突設することで、補強リブ及び第２補強リブによりべた面部部分の補強をするとともに、リブ群のべた面部に近い側をリブの密度を高くしてあることで、べた面部の剛性を向上させてよりいっそうべた面部側の補強ができるものである。
【００２０】
また、請求項２記載の発明にあっては、上記請求項１記載の発明の効果に加えて、べた面部の端部に水抜き孔を形成し、べた面部の裏面に水抜き孔側に向けて肉厚が薄くなるように傾斜した傾斜面を形成してあるので、パレットを水洗いした際に、べた面部の裏面側の水は傾斜面を伝って水抜き孔に流れて外部に排水され、パレット内部に水が滞留することがないものであり、この結果、パレットの洗浄性が良好となるものである。
【図面の簡単な説明】
【図１】本発明のパレットの平面図である。
【図２】同上の正面図である。
【図３】同上の側面図である。
【図４】図１のＡ−Ａ線断面図である。
【図５】図１のＢ−Ｂ線断面図である。
【図６】図１のＣ−Ｃ線断面図である。
【図７】同上に使用するパレット半体の裏面図である。
【図８】同上の要部拡大断面図である。
【符号の説明】
１  面板部
２  桁半部
３  パレット半体
４  パレット
６  桁部
７  フォーク挿入部
８  非べた面部
９  リブ群
１０  べた面部
１１  補強リブ
１２  第２補強リブ
１３  水抜き孔
１４  傾斜面
【図１】
0004227258.tif 000002
【図２】
0004227258.tif 000003
【図３】
0004227258.tif 000004
【図４】
0004227258.tif 000005
【図５】
0004227258.tif 000006
【図６】
0004227258.tif 000007
【図７】
0004227258.tif 000008
【図８】
0004227258.tif 000009